(57)【要約】      （修正有）【課題】災害時などに緊急かつ絶対に必要な非常用トイレを、身近な場所に必要数をしかも広域に備蓄する事ができる空容器収納箱を提供する。【解決手段】広域かつ人口に比例して存在する飲料自動販売機に隣接して、非常用トイレ収納箱１を上部に具備した空容器収納箱２を設置し、非常用トイレ３を備蓄する事で災害に備える事が出来る。該非常用トイレ収納箱は天井部に開閉口を配置して、空容器収納箱の転倒があっても必ず開口できる態様として構成する。【選択図】図２
0003151996.tif 000002
【実用新案登録請求の範囲】
【請求項１】
空飲料容器収納箱の上位部に非常用トイレ収納箱が接続配置されている事を特徴とする空容器収納箱。
【請求項２】
前記、請求項１記載の空容器収納箱で、開閉口が空飲料容器収納箱と非常用トイレ収納箱のそれぞれに具備している事を特徴とする空容器収納箱。
【請求項３】
前記、請求項１、２記載の空容器収納箱で、非常用トイレ収納箱の開閉口が天井部に配置されている事を特徴とする空容器収納箱。
【請求項４】
前記、請求項１、２、３記載の空容器収納箱で、空飲料容器収納箱と非常用トイレ収納箱の間には、臭気や水分などを遮断する隔壁を備えた事を特徴とする空容器収納箱。
【考案の詳細な説明】
【技術分野】
【０００１】本考案は非常用トイレ収納箱を具備した空容器収納箱に関する。
【背景技術】
【０００２】災害時のトイレの確保は水や食料の確保と並ぶ課題であるが、現実には緊急避難場所に倉庫を確保して少量を備蓄している。備蓄の為に要する技術は、トイレのコンパクト化で小さい収納スペースやトイレの組み立て易さや劣化防止などが主なものである。それ以外は、個々で備蓄する以外方法が無かった。
【先行技術文献】
【特許文献】
【０００３】
【特許文献１】特開２００４−３１０３００
【実用新案文献１】
実願２００８−００３９４４
【実用新案文献２】
実願２００８−００４４７５
【考案の概要】
【考案が解決しようとしている課題】
【０００４】地震などの非常時に備えて飲料や食料の確保は進んできているが、トイレの確保は遅遅とした状況である。これには色々の要因があるが、トイレの嵩が張ることや、便座椅子の運搬や保管スペースが必要で、特に都市部では収納場所が確保しにくい事が挙げられる。
最近では、非常用の簡易トイレや携帯用トイレ等の開発が進み、軽量、コンパクトになっている。そこで、災害時には無償で解放される飲料自動販売機等に隣接して空飲料容器収納箱と非常用トイレ収納箱が一体化した空容器収納箱を併設して非常時に備えるものである。災害時の避難場所にはトイレの備蓄が多少準備してあるが、広域で身近な場所にトイレが確保できることが切望されていた。
【０００５】本考案は災害時の非常用トイレの備蓄保管場所として、避難場所に限定せずに広域に多数存在する飲料自動販売機に隣接して設置する空飲料容器収納箱の上部空間を利用したトイレの備蓄、提供にある。
【課題を解決するための手段】
【０００６】上記の課題を解決すべく本考案者らは鋭意検討した結果、上記の課題は次のような手段によって解決することがわかった。
即ち、飲料自動販売機に隣接して設置する空飲料容器収納箱の上部空間に非常用トイレ収納箱を配置して災害時に備える。該容器収納箱は下部が空飲料容器収納箱で上部が非常用トイレ収納箱である。下部の空飲料容器収納箱は自動販売機の商品展示面と同一面に空飲料容器投入口を有する開閉扉を有し、上部の非常用トイレ収納箱は天井部に開閉口を有す。又、下部の開閉扉と上部の開閉口は同一の鍵によって開閉できるようにすることが望ましく、上部の鍵は天井部の外側の屋根部に配置して転倒時でも開口できる態様である。更に、下部の空飲料容器収納箱からの臭気や湿気などが上部の非常用トイレ収納箱に流入しないように上下の収納箱は隔壁で仕切られ、非常用トイレ収納箱開閉口の天井部はキャップの鍔形状で水などの浸入を防ぐ構造とし、長期保存で非常用トイレの劣化が少なく上記課題を解決できることがわかった。
【考案の効果】
【０００７】本考案は飲料自動販売機に隣接して設置する空飲料容器収納箱の上部に非常用トイレ収納箱を配置し、該非常用トイレ収納箱に非常用トイレを備蓄して設置することで、地震などの非常時にトイレを確保することが容易になった。従来は、避難場所にトイレを備蓄していたが、飲料自動販売機に隣接して容器収納箱を設置したことで、非常時の時と場所を選ばないトイレの要求に対応できるようになった。又、非常用トイレ収納箱の開閉口及び鍵は天井部に配置してあり、容器収納箱が転倒しても非常用トイレ収納箱の開口が可能である構造である。更に、下部の飲料容器収納箱と上部の非常用トイレ収納箱は隔壁で厳重に仕切られ、下部からの臭気や湿気などを遮断し、非常用トイレ収納箱開閉口の天井部をキャップの鍔形状にする事で、水などの浸入を防止できて非常用トイレの長期保存を可能とした。比較的安価で省スペースでスタイリッシュな容器収納箱は、非常時のトイレ備蓄のためのスペース不足とトイレ不足の解消、更にトイレの快適性向上等に結びつけることが可能となる。尚、空容器収納箱の非常用トイレ収納箱の外壁面は、非常用トイレが収納されている事を告知する文言や広告宣伝を入れても良い。
【図面の簡単な説明】
【０００８】
【図１】は容器収納箱の外観の見取図である。
【図２】は容器収納箱の開閉口、開閉扉を開けた状態の見取図である。
【考案を実施するための形態】
【０００９】本考案は、飲料自動販売機に隣接して設置する空容器収納箱を使い易く、美観良く、然も上部の空間に非常用トイレ収納箱を配置した。つまり、下部は空飲料容器収納箱で上部は非常用トイレ収納箱である。下部の空飲料容器収納箱は前面扉に容器投入穴を１〜３か所備えている。上部の非常用トイレ収納箱は底面を隔壁として、下部の空飲料容器収納箱と仕切られる構造で、開閉口を天井部に配置して地震などで転倒しても非常用トイレを取り出しできる態様である。最終的な形態は図２の状態となる。
【実施例１】
【００１０】以下、本考案を図面を用いて詳細に説明する。
図１は本考案の容器収納箱の外観見取り図である。
飲料自動販売機に隣接して設置する事が多いため、併設して美観を損なわず非常時には確実にトイレの確保ができる態様である。【００１１】図２は図１の二つの開閉口を開けた状態の見取図である。
上部の非常用トイレ収納箱１は底面１−１を隔壁として、下部の空飲料容器収納箱２と仕切られ、天井開閉口部１−３を開閉口としているので、転倒の事態でも非常用トイレ３を確保できる態様であり、天井部は水等の浸入を防ぐためにキャップの鍔型１−４の構造とした。又、鍵１−５は開閉口の外面屋根部に設置して転倒時でも開口可能にした。下部の空飲料容器収納箱２で開閉口扉２−１には容器投入口２−２，２−３、箱内部にはスライダー２−４を備えて容器の分別ができる構造である。空容器収納箱固定用台２−６で転倒防止のために固定を行う。【００１２】幅４０ｃｍ×奥行６０ｃｍ×高さ１７５ｃｍの空容器収納箱で、幅４０ｃｍ×奥行６０ｃｍ×高さ６０ｃｍの非常用トイレ収納箱に１７ｃｍ×３２ｃｍ×０．８ｃｍの便座付き非常用トイレ３を２１０セット、糞尿固化剤２１０セットとポリエチレン製ポンチョ３０枚を入れたところ、収納箱には若干の余裕がある状態で収納できた。該空容器収納箱一台で約３０世帯のトイレ一日分を確保できる事が分かった。【００１３】図１、図２の本考案の材質と寸法、機能について以下に説明する。
容器収納箱は幅３０〜５０ｃｍ×奥行５０〜７０ｃｍ×高さ１６０〜１８０ｃｍの寸法で、非常用トイレ収納箱１は幅３０〜５０ｃｍ×奥行５０〜７０ｃｍ×高さ５０〜８０ｃｍの寸法が望ましい。非常用トイレ収納箱１の天井開閉口部１−３から続くキャップの鍔部１−４は収納箱１の外側に配置され水や埃の浸入を防ぐ。非常用トイレ収納箱１の開閉口１−２で非常用トイレ３が納まって、鍵１−５で保管備蓄できる。又、空飲料容器収納箱２は幅３０〜５０ｃｍ×奥行５０〜７０ｃｍ×高さ１００〜１３０ｃｍの寸法で、分別方法や投入口２−２，２−３の数によって決まるが、自動販売機の高さに合わせて容器収納箱の高さを決める事が美観上好ましい態様である。又、内部に投入口の数と位置に合わせたスライダーを備えて空容器を効率良く集積する。材質は、ステンレス、アルミニウム、亜鉛引き鋼板などの錆びにくい材料が好ましい。尚、スライダー部２−４、天井開閉口部１−３、底面部１−１はＦＲＰ、ポリプロピレン、ポリ塩化ビニルなど軽量で耐久性があるものが望ましく、空容器収納箱固定用台２−６は錆の出難いステンレスが好ましい
態様である。
【産業上の利用可能性】
【００１４】震災などで被災した場合には水道や電気など、いわゆるライフラインが遮断される事が想定される。特に、都市部では非常時の排泄物の処理が深刻な問題である。このような状況のために、広域をカバーしている既存の飲料自動販売機に併設して、しかも身近な場所に非常用トイレが常時備蓄してあればどれだけの安心と利便性が与えられるか。軽量で嵩張らない非常用トイレと相まって、緊急時のトイレ不足解消のために省スペースで備蓄できる。
【符号の説明】
【００１５】    １        ：非常用トイレ収納箱
１−１    ：底面部
１−２    ：非常用トイレ収納箱開閉口
１−３    ：天井開閉口部
１−４    ：キャップの鍔部
１−５    ：鍵
２        ：空飲料容器収納箱
２−１    ：開閉口扉
２−２    ：空容器投入口
２−３    ：空容器投入口
２−４    ：スライダー
２−５    ：鍵
２−６    ：空容器収納箱固定用台
３        ：非常用トイレ
【図１】
0003151996.tif 000003
【図２】
0003151996.tif 000004
【手続補正書】
【提出日】平成21年4月10日(2009.4.10)
【手続補正１】
【補正対象書類名】実用新案登録請求の範囲
【補正対象項目名】請求項３
【補正方法】変更
【補正の内容】
【請求項３】
前記、請求項１又は２記載の空容器収納箱で、非常用トイレ収納箱の開閉口が天井部に配置されている事を特徴とする空容器収納箱。
【手続補正２】
【補正対象書類名】実用新案登録請求の範囲
【補正対象項目名】請求項４
【補正方法】変更
【補正の内容】
【請求項４】
前記、請求項１、２、３のいずれか１項に記載の空容器収納箱で、空飲料容器収納箱と非常用トイレ収納箱の間には、臭気や水分などを遮断する隔壁を備えた事を特徴とする空容器収納箱。